(57)【要約】【課題】移動速度や遅延時間の変化などの受信状況における様々な変化に応じた適切な波形等化を信号列に施す。【解決手段】検査モード（Ｓ２１〜Ｓ２８）において、２つの等化処理の一方を施す（Ｓ２１，Ｓ２２）。等化処理が施された信号列をデマップする（Ｓ２３）際に、ＭＥＲを測定する（Ｓ２４）。前回の検査モードにおいて２つの等化処理の他方が施された際のＭＥＲと今回のＭＥＲとを比較する（Ｓ２５）。ＭＥＲの比較に基づいて、２つの等化処理のいずれが適切かを判定し（Ｓ２７）、等化処理の切り替えを指示する（Ｓ２８）。非検査モード（Ｓ２９、Ｓ３０）においては、検査モードにおいて切り替えが指示された等化処理が信号列に施される。【選択図】図８
2008017124.tif 000002
【特許請求の範囲】
【請求項１】
時間方向について互いに離隔するように配列されていると共に周波数方向について互いに離隔するように配列されている複数のスキャッタードパイロット信号を含む信号列を受信する受信手段と、
周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化手段と、
前記第１及び第２の等化処理を前記等化手段が信号列に施した際の等化性能をそれぞれ測定する測定手段と、
前記測定手段が測定した前記第１及び第２の等化処理の等化性能を互いに比較する比較手段と、
前記比較手段が前記第１及び第２の等化処理の等化性能を比較した結果に基づいて、前記等化手段に施させる等化処理を前記第１及び第２の等化処理から選択する処理選択手段とを備えていることを特徴とするデジタル受信装置。
【請求項２】
前記等化手段が、
周波数方向について前記スキャッタードパイロット信号を補間する周波数方向補間手段と、時間方向について前記スキャッタードパイロット信号を補間する時間方向補間手段とを有しており、
前記周波数方向補間手段が補間した前記スキャッタードパイロット信号に基づいて前記第１の等化処理を前記信号列に施し、
前記周波数方向補間手段及び時間方向補間手段の両方が補間した前記スキャッタードパイロット信号に基づいて前記第２の等化処理を前記信号列に施すことを特徴とする請求項１に記載のデジタル受信装置。
【請求項３】
前記測定手段が測定した前記第１及び第２の等化処理の等化性能を互いに比較することを前記比較手段が過去に複数回行った結果に基づいて、前記第１及び第２の等化処理のいずれが現在の受信状況により適切なものであるかを評価する評価手段をさらに備えており、
前記処理選択手段が、前記第１及び第２の等化処理のうち、前記評価手段が適切と評価したものを選択することを特徴とする請求項１又は２に記載のデジタル受信装置。
【請求項４】
前記評価手段が、
前記第１の等化処理が前記第２の等化処理よりもどのくらい現在の受信状況に適切であるかの度合いを示すステート情報を記憶するステート記憶手段と、
前記比較手段が前記第１及び第２の等化処理の等化性能を互いに比較した結果が、前記第１の等化処理の等化性能が前記第２の等化処理の等化性能より高いことを示している場合に、前記ステート記憶手段が記憶している前記ステート情報を、より度合いの高いものに更新し、前記比較手段が前記第１及び第２の等化処理の等化性能を互いに比較した結果が、前記第１の等化処理の等化性能が前記第２の等化処理の等化性能より高くないことを示している場合に、前記ステート記憶手段が記憶している前記ステート情報を、より度合いの低いものに更新するステート更新手段とを有しており、
前記ステート記憶手段が記憶している前記ステート情報が所定の度合いを超える場合に、前記第１の等化処理が前記第２の等化処理より現在の受信状況に適切であると評価することを特徴とする請求項１〜３のいずれか１項に記載のデジタル受信装置。
【請求項５】
前記ステート情報が、第１〜第ｎ（ｎ：２以上の自然数）のステートのいずれかを示し、
前記ステート更新手段が、
前記比較手段が前記第１及び第２の等化処理の等化性能を互いに比較した結果が、前記第１の等化処理の等化性能が前記第２の等化処理の等化性能より高いことを示している場合に、前記ステート記憶手段が記憶している前記ステート情報を、前記第１のステートにより近いステートに更新し、前記比較手段が前記第１及び第２の等化処理の等化性能を互いに比較した結果が、前記第１の等化処理の等化性能が前記第２の等化処理の等化性能より高くないことを示している場合に、前記ステート記憶手段が記憶している前記ステート情報を、前記第ｎのステートにより近いステートに更新し、
前記評価手段が、
前記ステート記憶手段が記憶している前記ステート情報が前記第１〜第ｍ（ｍ：ｎ未満の自然数）のいずれかのステートを示している場合に、前記第１の等化処理が前記第２の等化処理より現在の受信状況に適切なものであると評価することを特徴とする請求項４に記載のデジタル受信装置。
【請求項６】
前記第１の等化処理を前記等化手段が前記受信手段からの信号列に施す第１の検査モードと前記第２の等化処理を前記等化手段が前記受信手段からの信号列に施す第２の検査モードとを、前記処理選択手段が選択した等化処理を前記等化手段が前記受信手段からの信号列に施す非検査モードを挟んで、交互に切り替える検査制御手段をさらに備えており、
前記比較手段が、前記第１の検査モードにおいて前記測定手段が測定した等化性能と当該第１の検査モードと前記被検査モードを挟んで隣り合う前記第２の検査モードにおいて前記測定手段が測定した等化性能とを比較することを特徴とする請求項５に記載のデジタル受信装置。
【請求項７】
前記検査制御手段が、
前記ステート記憶手段が記憶している前記ステート情報が示すステートが前記第１〜第ｍのステートのいずれかである場合には、前記第ｍのステートに近いほど短い期間に亘って前記非検査モードを前記等化手段に取らせ、
前記ステート記憶手段が記憶している前記ステート情報が示すステートが前記第（ｍ＋１）〜第ｎのステートのいずれかである場合には、前記第（ｍ＋１）のステートに近いほど短い期間に亘って前記非検査モードを前記等化手段に取らせることを特徴とする請求項６に記載のデジタル受信装置。
【請求項８】
前記検査制御手段が、前記検査モードを１シンボル内に収まるように前記等化手段に取らせることを特徴とする請求項６又は７に記載のデジタル受信装置。
【請求項９】
前記受信手段に前記信号列を継続的に受信させるモードと、前記受信手段に前記信号列を間欠的に受信させるモードとを切り替える主制御手段と、
前記受信手段が前記信号列を間欠的に受信しているモードにおいて、前記受信手段からの信号列に復調処理が施される際に、当該信号列のビット誤り率を測定する誤り率測定手段と、
前記受信手段が前記信号列を継続的に受信するモードが開始する際に前記ステート記憶手段が記憶する前記ステートの初期値を、前記誤り率測定手段が測定した前記信号列のビット誤り率に基づいて決定する初期値決定手段とをさらに備えていることを特徴とする請求項５〜８のいずれか１項に記載のデジタル受信装置。
【請求項１０】
前記受信手段からの信号列に復調処理を施す復調器をさらに備えており、
前記測定手段が、等化性能を示す測定値として、前記受信手段からの信号列に復調処理が施される際に当該信号列のＣＮ（Carrier to Noise）比を測定することを特徴とする請求項１〜９のいずれか１項に記載のデジタル受信装置。
【請求項１１】
前記等化手段が、
前記誤り率測定手段が測定した前記信号列のビット誤り率が閾値を下回っている場合に、前記周波数方向補間手段及び時間方向補間手段のいずれにも前記スキャッタードパイロット信号を補間させることなく前記信号列に等化処理を施すことを特徴とする請求項９又は１０に記載のデジタル受信装置。
【請求項１２】
前記等化手段が等化処理を施した信号列に基づいて、文字、画像、音声及びデータの少なくともいずれか１つの再現処理を行うことを特徴とする請求項１〜１１のいずれか１項に記載のデジタル受信装置。
【請求項１３】
時間方向について互いに離隔するように配列されていると共に周波数方向について互いに離隔するように配列されている複数のスキャッタードパイロット信号を含む信号列を受信する受信手段を備えているデジタル受信装置の等化処理を制御する方法であって、
周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化ステップと、
前記第１及び第２の等化処理を前記等化手段が信号列に施した際の等化性能をそれぞれ測定する測定ステップと、
前記測定ステップで測定された前記第１及び第２の等化処理の等化性能を互いに比較する比較ステップと、
前記比較ステップで前記第１及び第２の等化処理の等化性能が比較された結果に基づいて、前記等化ステップで施される等化処理を前記第１及び第２の等化処理から選択する処理選択ステップとを備えていることを特徴とするデジタル受信装置の制御方法。
【請求項１４】
時間方向について互いに離隔するように配列されていると共に周波数方向について互いに離隔するように配列されている複数のスキャッタードパイロット信号を含む信号列を受信する受信手段を備えているデジタル受信装置用のプログラムであって、
周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化ステップと、
前記第１及び第２の等化処理を前記等化手段が信号列に施した際の等化性能をそれぞれ測定する測定ステップと、
前記測定ステップで測定された前記第１及び第２の等化処理の等化性能を互いに比較する比較ステップと、
前記比較ステップで前記第１及び第２の等化処理の等化性能が比較された結果に基づいて、前記等化ステップで施される等化処理を前記第１及び第２の等化処理から選択する処理選択ステップとをデジタル受信装置に実行させることを特徴とするデジタル受信装置用プログラム。
【請求項１５】
請求項１４に記載のデジタル受信装置用プログラムが記録されたコンピュータ読み取り可能な記録媒体。
【発明の詳細な説明】
【技術分野】
【０００１】
本発明は、デジタル受信装置、特に、デジタル信号を受信して波形等化を施すデジタル受信装置、その制御方法、デジタル受信装置用プログラム及びそのプログラムを記録した記録媒体に関する。
【背景技術】
【０００２】
デジタル信号を受信するデジタル受信装置において信号列を適切に復調するためには、適切な波形等化が行われなければならない。波形等化とは、デジタル受信装置に信号列が受信されるまでの伝送経路上の様々な要因により発生する、コンスタレーションの基準点からの振幅や位相のずれを補正する処理である。
【０００３】
ＯＦＤＭ（Orthogonal Frequency Division Multiplexing）方式などのように、複数の搬送波によって信号列を搬送するような伝送方式の場合には、スキャッタードパイロット信号と呼ばれる基準の信号を用いた波形等化が行われる。スキャッタードパイロット信号は、信号列中において、周波数方向及び時間方向の両方向について離隔して配列されている。波形等化においては、このような時間方向及び周波数方向に離隔して配列された複数のスキャッタードパイロット信号を、周波数方向及び時間方向の両方向について補間したものが用いられる。
【０００４】
一方で、信号列に振幅や位相のずれが発生する原因として、各種雑音に加えて、信号列にマルチパス波が含まれることによるものと、デジタル受信装置が移動してドップラーシフトが起こることによるものとがある。デジタル受信装置が高速で移動する場合にはドップラーシフトの影響により、時間的に大きく信号列が変動する。このような場合には、時間方向に関するスキャッタードパイロット信号の補間を行って等化処理を施すと波形等化の精度が悪くなり、周波数方向に関するスキャッタードパイロット信号の補間のみを行って等化処理を施す方が波形等化の性能が良いこともある。
【０００５】
特許文献１は、マルチパス波の遅延時間によって、時間方向に関する等化処理を行うか否かを切り替えるものである。具体的には、特許文献１は、遅延時間が所定の閾値を超える範囲では、周波数方向に配列されたスキャッタードパイロット信号のみから導出されたインパルス応答を、遅延時間が所定の閾値を超えない範囲では、周波数方向及び時間方向の両方に配列されたスキャッタードパイロット信号から導出されたインパルス応答をそれぞれ用いて波形等化を行っている。これによって、遅延時間が短いときには周波数方向及び時間方向の両方向に関する補間を伴う等化処理がなされ、遅延時間が長い場合には周波数方向に関する補間のみを伴う等化処理がなされることとなる。つまり、デジタル受信装置が高速で移動している場合に適した等化処理がなされることとなる。
【０００６】
【特許文献１】特開２００５−４５６６４号公報
【発明の開示】
【発明が解決しようとする課題】
【０００７】
しかし、特許文献１においては、遅延時間の長さに応じて時間方向に関する補間を伴う等化処理を行うか否かが選択される。つまり、特許文献１において、等化処理の選択にはデジタル受信装置の移動速度が考慮されていない。デジタル受信装置が高速で移動していない場合にはドップラーシフトの影響が小さいので、周波数方向に関する補間を伴う等化処理のみならず、周波数方向及び時間方向の両方向に関する補間を伴う等化処理を信号列に施す方が、波形等化の性能が向上することがある。しかし、特許文献１のように遅延時間の長さのみに応じて等化処理を選択する場合には、デジタル受信装置の移動速度に応じた適切な等化処理がなされているとはいえない。
【０００８】
また、特許文献１においては、遅延時間の閾値に基づいて等化処理が選択されるが、このような閾値にはあらかじめ設定されたものが用いられるため、さまざまに変化する受信状況に応じた選択がなされない。さらに、特許文献１は、マルチパス波が一波のみ存在する場合には有効なものとなるかもしれないが、実際には複数のマルチパス波が信号列に含まれており、各マルチパス波の強度もドップラーシフトの影響を受けて変化する。したがって、遅延時間の閾値をあらかじめ適切に設定するのは困難である。
【０００９】
以上のとおり、特許文献１においては、移動速度や遅延時間の変化に応じた適切な波形等化がなされ得ない。
【００１０】
本発明の目的は、移動速度や遅延時間の変化などの受信状況における様々な変化に応じた適切な波形等化を信号列に施すデジタル受信装置、その制御方法、その制御プログラム及びその制御プログラムを記録した記録媒体を提供することにある。
【課題を解決するための手段及び効果】
【００１１】
本発明のデジタル受信装置は、時間方向について互いに離隔するように配列されていると共に周波数方向について互いに離隔するように配列されている複数のスキャッタードパイロット信号を含む信号列を受信する受信手段と、周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化手段と、前記第１及び第２の等化処理を前記等化手段が信号列に施した際の等化性能をそれぞれ測定する測定手段と、前記測定手段が測定した前記第１及び第２の等化処理の等化性能を互いに比較する比較手段と、前記比較手段が前記第１及び第２の等化処理の等化性能を比較した結果に基づいて、前記等化手段に施させる等化処理を前記第１及び第２の等化処理から選択する処理選択手段とを備えている。
【００１２】
また、本発明のデジタル受信装置の制御方法は、時間方向について互いに離隔するように配列されていると共に周波数方向について互いに離隔するように配列されている複数のスキャッタードパイロット信号を含む信号列を受信する受信手段を備えているデジタル受信装置の等化処理を制御する方法であって、周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化ステップと、前記第１及び第２の等化処理を前記等化手段が信号列に施した際の等化性能をそれぞれ測定する測定ステップと、前記測定ステップで測定された前記第１及び第２の等化処理の等化性能を互いに比較する比較ステップと、前記比較ステップで前記第１及び第２の等化処理の等化性能が比較された結果に基づいて、前記等化ステップで施される等化処理を前記第１及び第２の等化処理から選択する処理選択ステップとを備えている。
【００１３】
また、本発明のデジタル受信装置用プログラムは、時間方向について互いに離隔するように配列されていると共に周波数方向について互いに離隔するように配列されている複数のスキャッタードパイロット信号を含む信号列を受信する受信手段を備えているデジタル受信装置用のプログラムであって、周波数方向について前記スキャッタードパイロット信号を補間しつつ当該補間した前記スキャッタードパイロット信号に基づいて前記信号列を等化する第１の等化処理と、周波数方向及び時間方向の両方向について前記スキャッタードパイロット信号を補間しつつ当該補間した前記スキャッタードパイロット信号に基づいて前記信号列を等化する第２の等化処理とを、選択的に信号列に施す等化ステップと、前記第１及び第２の等化処理を前記等化手段が信号列に施した際の等化性能をそれぞれ測定する測定ステップと、前記測定ステップで測定された前記第１及び第２の等化処理の等化性能を互いに比較する比較ステップと、前記比較ステップで前記第１及び第２の等化処理の等化性能が比較された結果に基づいて、前記等化ステップで施される等化処理を前記第１及び第２の等化処理から選択する処理選択ステップとをデジタル受信装置に実行させるものである。
【００１４】
時間方向に関する補間及び周波数方向に関する補間の両方を伴う等化処理と周波数方向に関する補間のみを伴う等化処理とのどちらの等化性能が良いかは、信号列の受信状況に応じて様々に変化する。本発明のデジタル受信装置、その制御方法及びデジタル受信装置用プログラムによると、２種類の等化処理について実際に測定された等化性能に基づいて時間方向についての補間を伴う等化処理を選択するか否かが判定される。したがって、受信状況が様々に変化する場合に適応した等化処理が信号列に施されることとなる。
【００１５】
また、本発明においては、前記等化手段が、周波数方向について前記スキャッタードパイロット信号を補間する周波数方向補間手段と、時間方向について前記スキャッタードパイロット信号を補間する時間方向補間手段とを有しており、前記周波数方向補間手段が補間した前記スキャッタードパイロット信号に基づいて前記第１の等化処理を前記信号列に施し、前記周波数方向補間手段及び時間方向補間手段の両方が補間した前記スキャッタードパイロット信号に基づいて前記第２の等化処理を前記信号列に施すことが好ましい。この構成によると、２つの補間手段の組み合わせを選択することにより、周波数方向に関する補間のみを伴う等化処理と、時間方向及び周波数方向の両方に関する補間を伴う等化処理とを簡易な構成で切り替えることができる。
【００１６】
また、本発明においては、前記測定手段が測定した前記第１及び第２の等化処理の等化性能を互いに比較することを前記比較手段が過去に複数回行った結果に基づいて、前記第１及び第２の等化処理のいずれが現在の受信状況により適切なものであるかを評価する評価手段をさらに備えており、前記処理選択手段が、前記第１及び第２の等化処理のうち、前記評価手段が適切と評価したものを選択することが好ましい。この構成によると、いずれの等化処理の等化性能が良いかが、過去の複数回の測定とその測定結果の比較とによって評価される。このため、単独の測定によって評価が行われる場合と比べてより正確にいずれの等化性能が良いかが評価され得るので、より適切な等化処理が信号列に施される。
【００１７】
また、本発明においては、前記評価手段が、前記第１の等化処理が前記第２の等化処理よりもどのくらい現在の受信状況に適切であるかの度合いを示すステート情報を記憶するステート記憶手段と、前記比較手段が前記第１及び第２の等化処理の等化性能を互いに比較した結果が、前記第１の等化処理の等化性能が前記第２の等化処理の等化性能より高いことを示している場合に、前記ステート記憶手段が記憶している前記ステート情報を、より度合いの高いものに更新し、前記比較手段が前記第１及び第２の等化処理の等化性能を互いに比較した結果が、前記第１の等化処理の等化性能が前記第２の等化処理の等化性能より高くないことを示している場合に、前記ステート記憶手段が記憶している前記ステート情報を、より度合いの低いものに更新するステート更新手段とを有しており、前記ステート記憶手段が記憶している前記ステート情報が所定の度合いを超える場合に、前記第１の等化処理が前記第２の等化処理より現在の受信状況に適切であると評価することが好ましい。この構成によると、等化性能の比較に基づいてステート情報が更新され、ステート情報の現在の状態に基づいて等化処理の選択が行われる。したがって、複数回の測定の結果を簡易に評価することが可能となる。
【００１８】
また、本発明においては、前記ステート情報が、第１〜第ｎ（ｎ：２以上の自然数）のステートのいずれかを示し、前記ステート更新手段が、前記比較手段が前記第１及び第２の等化処理の等化性能を互いに比較した結果が、前記第１の等化処理の等化性能が前記第２の等化処理の等化性能より高いことを示している場合に、前記ステート記憶手段が記憶している前記ステート情報を、前記第１のステートにより近いステートに更新し、前記比較手段が前記第１及び第２の等化処理の等化性能を互いに比較した結果が、前記第１の等化処理の等化性能が前記第２の等化処理の等化性能より高くないことを示している場合に、前記ステート記憶手段が記憶している前記ステート情報を、前記第ｎのステートにより近いステートに更新し、前記評価手段が、前記ステート記憶手段が記憶している前記ステート情報が前記第１〜第ｍ（ｍ：ｎ未満の自然数）のいずれかのステートを示している場合に、前記第１の等化処理が前記第２の等化処理より現在の受信状況に適切なものであると評価することが好ましい。この構成によると、等化性能の比較が行われるたびにステート情報が更新され、ステート情報の現在の状態に基づいて等化処理の選択が行われる。したがって、複数回の測定の結果を簡易に評価することが可能となる。また、ステートの数（ｎ）を調整することにより、使用環境に応じた等化処理の制御がなされるように、デジタル受信装置が構成され得る。
【００１９】
また、本発明においては、前記第１の等化処理を前記等化手段が前記受信手段からの信号列に施す第１の検査モードと前記第２の等化処理を前記等化手段が前記受信手段からの信号列に施す第２の検査モードとを、前記処理選択手段が選択した等化処理を前記等化手段が前記受信手段からの信号列に施す非検査モードを挟んで、交互に切り替える検査制御手段をさらに備えており、前記比較手段が、前記第１の検査モードにおいて前記測定手段が測定した等化性能と当該第１の検査モードと前記被検査モードを挟んで隣り合う前記第２の検査モードにおいて前記測定手段が測定した等化性能とを比較することが好ましい。この構成によると、２種類の等化処理に対応する第１及び第２の検査モードが交互に切り替えられるので、２種類の等化処理を同時に施すような構成と比べて、例えば回路構成が簡易になるなど、簡易な構成でデジタル受信装置が実現される。
【００２０】
また、本発明においては、前記検査制御手段が、前記ステート記憶手段が記憶している前記ステート情報が示すステートが前記第１〜第ｍのステートのいずれかである場合には、前記第ｍのステートに近いほど短い期間に亘って前記非検査モードを前記等化手段に取らせ、前記ステート記憶手段が記憶している前記ステート情報が示すステートが前記第（ｍ＋１）〜第ｎのステートのいずれかである場合には、前記第（ｍ＋１）のステートに近いほど短い期間に亘って前記非検査モードを前記等化手段に取らせることが好ましい。この構成によると、２種類の等化処理を切り替える境界のステートに近いほど検査モードにおける等化性能の測定が頻繁になされることとなる。したがって、一方の等化処理が適した受信状況から他方の等化処理が適した受信状況への過渡期間において、受信状況の変化に即応した制御がなされ得ると共に、一方の等化処理に適した状態が安定して継続するような期間においては検査モードの切り替えの回数が少ないので、安定した制御がなされ得る。
【００２１】
また、本発明においては、前記受信手段からの信号列に復調処理を施す復調器をさらに備えており、前記測定手段が、等化性能を示す測定値として、前記受信手段からの信号列に復調処理が施される際に当該信号列のＣＮ（Carrier to Noise）比を測定することが好ましい。この構成によると、実際に測定されたＣＮ比に基づいて、客観的に等化性能が評価され得る。
【００２２】
また、本発明においては、前記検査制御手段が、前記検査モードを１シンボル内に収まるように前記等化手段に取らせることが好ましい。検査モードの切り替えによって等化処理が切り替えられるため、安定した等化処理が確保されなくなるおそれが生じる。このような場合にさらに検査モードの期間が長いと、デジタル受信装置による復調処理が正確になされなくなるおそれも生じる。一方で、上記の構成によると、検査モードの期間が１シンボル内に収まっているため、検査モードの切り替えによって復調処理に及ぼす影響が最小限に抑えられる。
【００２３】
また、本発明においては、前記受信手段に前記信号列を継続的に受信させるモードと、前記受信手段に前記信号列を間欠的に受信させるモードとを選択的に切り替える主制御手段と、前記受信手段が前記信号列を間欠的に受信しているモードにおいて、前記受信手段からの信号列に復調処理が施される際に、当該信号列のビット誤り率を測定する誤り率測定手段と、前記受信手段が前記信号列を継続的に受信するモードが開始する際に前記ステート記憶手段が記憶する前記ステートの初期値を、前記誤り率測定手段が測定した前記信号列のビット誤り率に基づいて決定する初期値決定手段とをさらに備えていることが好ましい。この構成によると、ビット誤り率に基づいて受信状況に応じた適切なステートの初期値が決定される。したがって、受信を開始してから受信状況に適したステートに移行するまでの時間が短縮される。
【００２４】
また、本発明においては、前記等化手段が、前記誤り率測定手段が測定した前記信号列のビット誤り率が閾値を下回っている場合に、前記周波数方向補間手段及び時間方向補間手段のいずれにも前記スキャッタードパイロット信号を補間させることなく前記信号列に等化処理を施すことが好ましい場合がある。信号列の送信局に近接している場合など、特に伝送路状況が良好でありかつガウス雑音のみとみなせる場合には、周波数方向や時間方向に補間すると却って受信の性能が低下する。上記の構成によると、このように特に受信状況が良好な場合にはいずれの補間も行われないので、受信状況に応じた適切な復調処理が信号列に施される。また、スキャッタードパイロット信号の補間を行なわないことにより、消費電力が低減され得る。
【００２５】
また、本発明は、文字、画像、プログラムなどのデータ、及び音声の少なくとも１つの再現処理を行う携帯電話やデジタルテレビジョン等の様々なデジタル受信装置に採用され得る。このようなデジタル受信装置は、等化処理が施された信号列から文字、画像、プログラムなどのデータ、音声等に係る情報を取得し、これらの文字等の再現処理を行う。この構成によると、適切に等化処理が施された信号列から文字等の再現処理がなされるため、再現処理の精度が向上する。
【００２６】
なお、上記の本発明のデジタル受信装置用プログラムは、ＣＤ−ＲＯＭ（Compact Disc Read Only Memory）ディスク、フレキシブルディスク（ＦＤ）、ＭＯ（Magneto Optical）ディスクなどのリムーバブル型記録媒体や、ハードディスクなどの固定型記録媒体のようなコンピュータ読み取り可能な記録媒体に記録して配布可能である他、有線又は無線の電気通信手段によってインターネットなどの通信ネットワークを介して配布可能である。また、このプログラムは、デジタル受信装置専用のものでなくてもよく、復調処理などに係るプログラムと組み合わせて使用されることにより汎用型のプロセッサなどを有する汎用の装置をデジタル受信装置として機能させるプログラムであってもよい。
【発明を実施するための最良の形態】
【００２７】
以下は、本発明の好適な実施形態の一例である携帯通話装置についての説明である。図１は、本実施形態に係る携帯通話装置１０００及び携帯通話装置１０００に設けられたデジタル復調装置１の全体の概略構成を示している。
【００２８】
本実施形態の携帯通話装置１０００（デジタル受信装置）はデジタル復調装置１を有している。携帯通話装置１０００がアンテナから受信した信号Ｓｒはデジタル復調装置１によって復調される。そして、デジタル復調装置１から出力された復調信号から文字や画像や音声やプログラムなどのデータに係る情報が取り出され、これらの文字や画像や音声やプログラムなどのデータが再現される。これらの文字、画像等は、携帯通話装置１０００に設けられた図示されていないディスプレイやスピーカなどを通じて携帯通話装置１０００の使用者に提供される。なお、デジタル復調装置１は、携帯通話装置の他、デジタルＴＶ（Television）、無線ＬＡＮ（Local Area Network）装置、無線ＬＡＮを搭載したＰＣ（Personal Computer）等に採用されてもよい。
【００２９】
デジタル復調装置１はチューナ９００、復調器１００及び制御部２００を有している。チューナ９００は復調器１００と電気的に接続されている。また、チューナ９００は、アンテナと電気的に接続されており、アンテナからの信号Ｓｒに選局処理を施す。つまり、アンテナからの信号Ｓｒに含まれる複数のチャンネルから１つのチャンネルを選択的に受信する。そして、選択的に受信したチャンネルに係る信号をＩＦ（Intermediate Frequency：中間周波数）信号に変換し、復調器１００へと送信する。復調器１００はチューナ９００から送信されるＩＦ信号を受信し、ＩＦ信号から復調信号、例えばいわゆるＴＳ（Transport Stream）信号を生成して出力する。
【００３０】
なお、デジタル復調装置１は複数の回路部品から構成されている。下記において特に断りがない限り、各回路部品は、それぞれ独立した機能を果たすように特化された回路素子の集合であってもよいし、汎用のプロセッサ等と下記の各機能を果たすようにプロセッサなどのハードウェアを機能させるプログラムとからなるものでもよい。後者の場合には、ハードウェア及びプログラムが組み合わされることによって回路部品が構築される。
【００３１】
＜信号列＞
以下は、携帯通話装置１０００が受信する信号列についての説明である。携帯通話装置１０００が受信する信号列は、複数の搬送波によって搬送されたものである。以下においては、本実施形態の一例として、携帯通話装置１０００が受信する信号列の伝送方式にＯＦＤＭ（Orthogonal Frequency Division Multiplexing）方式が採用されているものが示されている。
【００３２】
図２（ａ）は、ＯＦＤＭ方式が採用された信号列の一例を示す模式図である。図２の白丸１９１及び黒丸１９２は、各データに対応する単位信号を示している。このうち、黒丸１９２は、後述のスキャッタードパイロット信号を示している。図２（ａ）に示されているように、信号列に含まれる単位信号は、時間方向及び周波数方向の両方向に沿って配列されている。
【００３３】
ＯＦＤＭ方式による信号列は、複数の異なる周波数の搬送波によって搬送される。図２（ａ）の信号列において上下方向に沿った各列は、各搬送波によって搬送される信号を示している。例えば、破線Ａに囲まれている信号は、ある１つの搬送波によって搬送される信号である。ＯＦＤＭ方式による信号列は、このような複数の信号を搬送する多数の搬送波の重ね合わせによって構成されている。
【００３４】
ＯＦＤＭ方式による信号列において１つの単位信号に相当する時間的な長さの信号はシンボルと呼称される。図２（ａ）において、例えば破線Ｂに囲まれている信号からシンボルが構成されている。つまり、１つのシンボルは、全ての搬送波に跨って時間的に同じ位置に存在する複数の信号から構成されている。
【００３５】
図２（ｂ）は、信号列に含まれるあるシンボル１９３を時間方向のみに沿って示したものである。シンボル１９３には、データが含まれている正味の有効部分１９４以外に、ガードインターバル１９５が含まれている。ガードインターバル１９５は、有効部分１９４の後端に連なる一部分１９６と全く同じ信号の成分を有しており、シンボル１９３の先端に連なっている。なお、有効部分１９４の長さは有効シンボル長と呼ばれる。
【００３６】
信号列を送信する送信局から携帯通話装置１０００までに複数の伝送経路が存在する場合には、このような複数の伝送経路を介して互いに時間的なずれを有する複数のマルチパス波が受信される。このような場合には、携帯通話装置１０００が受信したマルチパス波に含まれるシンボルが時間的にずれて重なり合う。これによって、例えば、２つの隣り合うシンボル同士が重なり合った信号が受信される。ガードインターバルは、マルチパス波が重なり合った信号から、隣り合ったシンボルが重なり合っていない部分を取り出すために用いられる。ガードインターバルによる補正が施されると、マルチパス波の遅延時間がガードインターバルの長さに収まる範囲であれば、隣り合うシンボル同士の干渉が理論的に発生しない。一方で、マルチパス波の遅延時間がガードインターバルの長さを超えると、隣り合うシンボル同士の干渉をガードインターバルによる補正のみで完全に取り除くことは不可能である。
【００３７】
図２（ａ）に示されているように、各シンボルには、複数のスキャッタードパイロット信号１９２が含まれている。スキャッタードパイロット信号１９２は、１つのシンボル内において周波数方向に沿って等間隔に配列されていると共に、１つの搬送波において時間方向に沿って等間隔に配列されている。本実施形態においては、各シンボルには１２の搬送波ごとに１つのスキャッタードパイロット信号１９２が含まれており、１つの搬送波中には４つのシンボルごとに１つのスキャッタードパイロット信号１９２が含まれている。また、各シンボルに含まれているスキャッタードパイロット信号１９２は、時間的に１つ前のシンボルのスキャッタードパイロット信号１９２より、３つの搬送波に相当する距離だけ周波数が増える方向にずれた位置に配置されている。
【００３８】
スキャッタードパイロット信号１９２は、規定の符号法などで表される数値列が所定の配列順で信号列内に挿入されることによって、信号列内に配列されている。つまり、スキャッタードパイロット信号１９２は、信号列内の所定の順にスキャッタードパイロット信号１９２が示す数値を取っていくと規定の符号法で表される数値列が再現されるように、信号列内に配列されている。
【００３９】
この他、本実施形態において想定される信号列には、信号列に発生する誤りを訂正する誤り訂正処理を施すためのインターリーブや各種の符号化が施されている。例えば、符号化には、リードソロモン符号（以下、「ＲＳ符号」と呼称）やビタビ符号が用いられる。また、インターリーブには、ビットインターリーブ、バイトインターリーブ及び時間インターリーブや周波数インターリーブがある。これらは、伝送信号に含まれる信号に対応するデータを時間的に並べ替えたり周波数的に並べ替えたりするものである。各種の符号化やインターリーブが施された信号列に、携帯通話装置１０００において後述の復号処理やデインターリーブ処理が施されると、信号列に含まれる誤りが訂正され得る。
【００４０】
なお、本実施形態において想定されている信号列は、例えば、日本の地上デジタル放送に適用され得るものである。日本の地上デジタル放送に係る信号の伝送方式には、ＩＳＤＢ−Ｔ（Integrated Services Digital Broadcasting-Terrestrial）方式が採用されている。
【００４１】
＜復調器＞
以下は、復調器１００についての説明である。図３は復調器１００の構成を示すブロック図である。図３に示されているように、復調器１００は、下記に示されるＡＤＣ部１８１等の複数の回路部品から構成されている。
【００４２】
復調器１００は、ＡＤＣ部１８１、ＡＦＣ・シンボル同期部１８２、ＦＦＴ部１８３、フレーム同期部１８４、波形等化部１１０及び誤り訂正部１８５を有している。チューナ９００から出力されたＩＦ信号ＳｉはＡＤＣ部１８１に入力される。ＡＤＣ部１８１は、アナログ信号である入力された信号Ｓｉをデジタル信号に変換する共に、変換したデジタル信号をＡＦＣ・シンボル同期部１８２へと出力する。
【００４３】
ＡＦＣ・シンボル同期部１８２は、ＡＤＣ部１８１からのデジタル信号に対してフィルタ処理などの補正処理等を行う。そして、ＡＦＣ・シンボル同期部１８２は、後述のＦＦＴ部１８３によるフーリエ変換の開始点、つまり、シンボル同期点を決定してシンボル同期を取ると共に、デジタル信号をＦＦＴ部１８３へと出力する。これと共に、ＡＦＣ・シンボル同期部１８２は制御部２００へと、シンボル同期点に係る情報を送信する。さらに、ＡＦＣ・シンボル同期部１８２は、有効シンボル長を示すモードに係る情報を導出し、その情報を制御部２００へと送信する。
【００４４】
なお、ＩＳＤＢ−Ｔ方式において、有効シンボル長を示すモードには、モード１（有効シンボル長２５２μｓ）、モード２（有効シンボル長５０４μｓ）及びモード３（有効シンボル長１００８μｓ）がある。シンボル同期点の決定においては、マルチパス波の影響が最も少ない最適な受信が可能な点が同期点として設定される。このような同期点の決定方法として、信号の相関を参照する方法や、スキャッタードパイロット信号などのパイロット信号を用いて位相のずれを補正する方法等が用いられる。
【００４５】
ＦＦＴ（Fast Fourier Transform）部１８３は、ＡＦＣ・シンボル同期部１８２からのデジタル信号をフーリエ（時間−周波数）変換する。このフーリエ変換には、いわゆる高速フーリエ変換（ＦＦＴ）が一般的に用いられる。ＦＦＴ部１８３は、フーリエ変換を施したデジタル信号をフレーム同期部１８４へと順次出力する。
【００４６】
フレーム同期部１８４は、ＦＦＴ部１８３から送られたデジタル信号におけるフレーム単位での同期をとる。１フレームは例えば２０４のシンボルからなり、１フレームの信号から１まとまりのＴＭＣＣ情報が取得される。フレーム同期部１８４によって同期が取られたデジタル信号は波形等化部１１０へと出力する。
【００４７】
波形等化部１１０は、デジタル信号に含まれるスキャッタードパイロット信号に基づき、フレーム同期部１８４によって同期が取られたデジタル信号に対して波形等化を行う。そして、波形等化を施したデジタル信号を誤り訂正部１８５へと出力する。
【００４８】
誤り訂正部１８５は波形等化部１１０からのデジタル信号に誤り訂正処理を施す。誤り訂正処理は、送信元において信号に施されたインターリーブ及び符号化に対応するデインターリーブ処理及び復号処理からなる。種々のインターリーブが施されたデジタル信号が、デインターリーブ処理によりインターリーブ前のデジタル信号に戻されると共に、符号化が施されたデジタル信号が、復号処理により符号化前のデジタル信号に戻される。これによって、伝送経路において信号に含まれることとなった各種の誤りが訂正されるまた、誤り訂正部１８５は、デジタル信号に誤り訂正処理を施した際の誤りを訂正した量を測定し、ＢＥＲ（Ｂｉｔ  Ｅｒｒｏｒ  Ｒａｔｅ；ビット誤り率）を算出する（誤り率測定手段）。算出されたＢＥＲは、制御部２００へと出力される。
【００４９】
以上のように復調器１００によって復調処理が施されたデジタル信号がＴＳ信号として復調器１００から出力される。
【００５０】
＜波形等化＞
以下は、波形等化部１１０のより詳細な説明である。図４は、波形等化部１１０の構成を示すブロック図である。波形等化部１１０は、複素除算部１１１及び１１７、デマップ部１１２、ＭＥＲ測定部１１３、処理選択部１１４、キャリアフィルタ部１１５、ＳＰ抽出部１１６、シンボルフィルタ部１１８、基準ＳＰ発生部１１９、並びに、切り替え制御部１３０を有している。これらはそれぞれ、波形等化部１１０を構成する回路部品である。
【００５１】
フレーム同期部１８４からの信号列は、複素除算部１１１及びＳＰ抽出部１１６に入力される。ＳＰ抽出部１１６は、入力された信号列からスキャッタードパイロット信号を抽出する。ＡＦＣ・シンボル同期部１８２によってシンボル単位の同期が取られているので、シンボルごとに信号を抽出することが可能である。また、フレーム同期部１８４によってフレーム単位の同期が取られているので、スキャッタードパイロット信号を表す数値列がフレーム内にどのように配列されているかを把握することが可能である。これらにより、ＳＰ抽出部１１６は、信号列内の時間方向及び周波数方向の両方向について所定の順に配列されたスキャッタードパイロット信号に相当する単位信号を抽出する。そして、抽出した単位信号を複素除算部１１７へと出力する。
【００５２】
一方で、基準ＳＰ発生部１１９は、スキャッタードパイロット信号に用いられている規定の符号法に基づく数値列を示す信号を、基準信号として順に複素除算部１１７へと出力する。複素除算部１１７は、ＳＰ抽出部１１６からのスキャッタードパイロット信号に相当する信号を基準ＳＰ発生部１１９からの基準信号で除算する。除算した結果は、シンボルフィルタ部１１８及び処理選択部１１４へと出力される。
【００５３】
シンボルフィルタ部１１８は、複素除算部１１７からの除算結果を時間方向について補間した数値を算出する（時間方向補間手段）。かかる時間方向についての補間は、１つの搬送波によって搬送される２つのスキャッタードパイロット信号（例えば、図２（ａ）のスキャッタードパイロット信号１９２ａ及び１９２ｂ）に基づいて行われる。シンボルフィルタ部１１８が算出した数値は、処理選択部１１４へと出力される。
【００５４】
処理選択部１１４は、後述の切り替え制御部１３０からの指示に従って、シンボルフィルタ部１１８からの算出結果及び複素除算部１１７からの除算結果のどちらか一方をキャリアフィルタ部１１５へと出力する。
【００５５】
キャリアフィルタ部１１５は、処理選択部１１４からの数値を周波数方向について補間した数値を算出する（周波数方向補間手段）。かかる周波数方向についての補間は、１つのシンボルに含まれている２つのスキャッタードパイロット信号（例えば、図２（ａ）のスキャッタードパイロット信号１９２ｂ及び１９２ｃ）に基づいて行われる。キャリアフィルタ部１１５が算出した数値は、複素除算部１１１へと出力される。
【００５６】
ここで、処理選択部１１４がシンボルフィルタ部１１８からの数値をキャリアフィルタ部１１５へと出力した場合には、キャリアフィルタ部１１５が出力する数値は、時間方向及び周波数方向の両方向について補間されたものである。一方で、処理選択部１１４が複素除算部１１７からの数値をキャリアフィルタ部１１５へと出力した場合には、キャリアフィルタ部１１５が出力する数値は、周波数方向のみについて補間されたものである。なお、スキャッタードパイロット信号の補間には、線形補間や最尤法などが用いられる。
【００５７】
複素除算部１１１は、フレーム同期部１８４から入力された信号列に含まれる各単位信号を、キャリアフィルタ部１１５からの数値で除算する。これによって、信号列に波形等化が施される（等化手段）。波形等化が施された信号列は、複素除算部１１１からデマップ部１１２へと出力される。デマップ部１１２は、波形等化が施された信号列をデマップする。デマップされた結果は、誤り訂正部１８５へと出力される。
【００５８】
一方で、デマップ部１１２が信号列をデマップした際に、複素除算部１１１からの信号列のコンスタレーション及びコンスタレーションの基準値に係る情報がＭＥＲ測定部１１３へと出力される。ＭＥＲ測定部１１３は、かかる情報に基づいて、波形等化が施された信号列のコンスタレーションとコンスタレーションの基準値との差、つまり、ＭＥＲ（Modulation Error Ratio）を測定する（測定手段）。ＭＥＲ測定部１１３が測定したＭＥＲは、切り替え制御部１３０へと出力される。
【００５９】
＜等化処理の切り替え＞
以下は、切り替え制御部１３０による処理選択部１１４への指示に係る説明である。切り替え制御部１３０は、複素除算部１１７からの数値及びシンボルフィルタ部１１８からの数値のいずれの数値をキャリアフィルタ部１１５へと出力するかを処理選択部１１４に指示する。つまり、周波数方向の補間のみを伴う等化処理Ａ（第１の等化処理）、並びに、時間方向及び周波数方向の両方に関する補間を伴う等化処理Ｂ（第２の等化処理）のいずれを信号列に施すかを切り替える。
【００６０】
切り替え制御部１３０は、上記のような切り替えを行うために、ＭＥＲ測定部１１３からのＭＥＲに基づいて、等化処理Ａ及びＢのいずれが性能の良い等化処理か（以下、単に「等化性能」と呼称）を評価する（評価手段）。そして、切り替え制御部１３０は、等化性能を評価するための検査モードと検査モード以外の非検査モードとを交互に切り替える。図５は、切り替え制御部１３０によって検査モード及び非検査モードの切り替えが行われることを示すタイミングチャートである。図５の曲線１７１は、検査モード及び非検査モードの各期間に等化処理Ａ及びＢのいずれが信号列に施されるかを示している。
【００６１】
図５において、検査モードの期間の長さは非検査モードの期間の長さより短く設定されている。本実施形態においては、検査モードの期間は１シンボル以内に収まる長さに設定されている。また、非検査モードの長さは、切り替え制御部１３０が等化性能を評価した結果に応じて変化する。１回の検査モードにおいては等化処理Ａ及びＢのいずれか一方が信号列に施される。そして、検査モードごとに、等化処理Ａ及びＢが交互に切り替えられる。切り替え制御部１３０は、検査モードごとに、前回の検査モードにおいて測定されたＭＥＲと今回の検査モードにおいて測定されたＭＥＲとを比較する。そして、その比較結果から、次の非検査モードにおいて等化処理Ａ及びＢのいずれを信号列に施すかを決定し、処理選択部１１４に指示する。
【００６２】
以下は、切り替え制御部１３０がどのように等化性能を評価し、等化処理Ａ及びＢを切り替えるかについてのさらに詳細な説明である。図６（ａ）は、切り替え制御部１３０のより詳細な構成を示している。切り替え制御部１３０は、ステート記憶部１３１、性能比較部１３２、ステート更新部１３３、判定部１３４及びモード条件記憶部１３５を有している。
【００６３】
ステート記憶部１３１は、ｎ（ｎ：２以上の自然数）ビットの数値、つまり、０以上２ｎ−１以下のいずれかの数値を記憶している。この数値は、等化処理Ａ及びＢのいずれが適切なものかの指標となる第１〜第２ｎのステートに１対１に対応している。性能比較部１３２は、検査モードごとに、今回の検査モードにおいて測定されたＭＥＲと前回の検査モードにおいて測定されたＭＥＲとを比較する（比較手段）。これによって、等化処理Ａ及びＢの等化性能が互いに比較される。
【００６４】
ステート更新部１３３は、性能比較部１３２の比較結果に基づいて、ステート記憶部１３１が記憶しているステートを示す数値を更新する。具体的には、等化処理Ａの等化性能が等化処理Ｂの等化性能より高い場合には、現在のステートよりも第１のステートに近い方に１つ隣のステートを示す数値に更新する。現在のステートが第１のステートである場合には、第１のステートに保持する。また、等化処理Ｂの等化性能が等化処理Ａの等化性能より高い場合には、現在のステートよりも第２ｎのステートに近い方に１つ隣のステートを示す数値に更新する。現在のステートが第２ｎのステートである場合には、第２ｎのステートに保持する。なお、ＭＥＲの差に応じて２つ以上隣のステートに更新するようにステート更新部１３３が設定されていてもよい。
【００６５】
判定部１３４は、ステート更新部１３３が更新したステート記憶部１３１の数値に基づいて、検査モードごとに、現在の受信状況に対して等化処理Ａ及びＢのどちらがより適切な等化処理かを判定する。具体的には、ステート記憶部１３１の数値が第１〜第２ｎ−１のステートを示している場合には、等化処理Ａの等化性能が等化処理Ｂの等化処理より高いと判定する。ステート記憶部１３１の数値が第（２ｎ−１＋１）〜第２ｎのステートを示している場合には、等化処理Ｂの等化性能が等化処理Ａの等化処理より高いと判定する。つまり、第２ｎ−１及び第（２ｎ−１＋１）のステートが等化処理Ａと等化処理Ｂとの切り替えの境界に相当する。なお、等化処理Ａと等化処理Ｂとの切り替えの境界が別のステートであってもよい。
【００６６】
モード条件記憶部１３５は、検査モード及び非検査モードの期間の長さなどを記憶している。検査モードの期間の長さは、上記の通り１シンボルの長さ以下に設定されている。非検査モードの期間の長さはステートに応じて設定されており、等化処理Ａと等化処理Ｂとの切り替えの境界に相当する第２ｎ−１及び第（２ｎ−１＋１）のステートに近いステートほど非検査モードの期間の長さが短くなるような値に設定されている。つまり、ステートが第１〜第２ｎ−１のステートである場合には、第２ｎ−１のステートに近いほど短い期間に設定されており、ステートが第（２ｎ−１＋１）〜第２ｎのステートである場合には、第（２ｎ−１＋１）のステートに近いほど短い期間に設定されている。
【００６７】
切り替え制御部１３０は、等化性能が高いと判定部１３４が判定した等化処理を信号列に施すような指示を処理選択部１１４に出力する。また、モード条件記憶部１３５が記憶している検査モード及び非検査モードの期間の長さに従って検査モードと非検査モードとを切り替える。これによって、等化処理Ａの等化性能が等化処理Ｂのそれより高い場合には等化処理Ａが、等化処理Ｂの等化性能が等化処理Ａのそれより高い場合には等化処理Ｂが信号列に施されるように、処理選択部１１４が制御される。したがって、現在の受信状況により適切な等化処理が信号列に施されることとなる。
【００６８】
図６（ｂ）は、制御部２００の構成を示すブロック図である。制御部２００は、初期値決定部２０１及び等化制御部２０２を有している。制御部２００は、信号列を継続的に受信するモードと信号列を間欠的に受信するモードとの間で、チューナ９００による信号列の受信モードを切り替える。信号列を継続的に受信するモードとは、例えばユーザに対して地上デジタル放送による映像や音声の提供がなされている期間における受信モードである。信号列を間欠的に受信するモードとは、このような継続的な受信モードに切り替える前に、信号列の受信状況を確認するための受信モードである。
【００６９】
間欠的な受信モードにおいて、制御部２００は、波形等化を含む復調処理及び誤り訂正処理をチューナ９００からの信号列へと復調器１００に間欠的に施させる。このとき、誤り訂正部１８５は、誤り訂正処理の際のＢＥＲを測定し、制御部２００へと出力する。
【００７０】
初期値決定部２０１は、誤り訂正部１８５からのＢＥＲに基づいて、信号列の受信が開始される際のステートの初期値を決定する。具体的には、初期値決定部２０１は、ＢＥＲに基づいて現在の受信状況を判定し、等化処理Ａ及びＢのいずれが現在の受信状況に適切かを判定する。そして、等化処理Ａが適切であると判定した場合には第１〜第２ｎ−１のステートのいずれかに初期値を決定し、等化処理Ｂが適切であると判定した場合には第（２ｎ−１＋１）〜第２ｎのステートのいずれかに初期値を決定する。これらのステートのいずれを選ぶかは、ＢＥＲの具体的な大きさなどに応じて判断される。
【００７１】
また、等化制御部２０２は、例えばユーザなどから地上デジタル放送の受信を開始する指示がなされたか否かに基づいて、信号列の受信を開始するべきか否かを判定し、信号列の受信を開始するべきと判定した場合には、波形等化部１１０に波形等化を開始させる。これによって、携帯通話装置１０００による信号列の継続的な受信が開始する。さらに、等化制御部２０２は、信号列の受信が行われている期間に、信号列の受信を終了する指示がユーザなどからなされたか否かを判定する。信号列の受信を終了する指示がなされたと判定した場合には、等化制御部２０２は、等化処理を終了するように波形等化部１１０へと指示を送る。
【００７２】
＜等化処理の流れ＞
以下は、信号列の受信が開始されてから受信が終了するまでの等化処理についての説明である。図７及び図８は、信号列に等化処理が施される際の一連のステップを示すフローチャートである。図７は、主に制御部２００における処理の内容を、図８は、波形等化部１１０における処理の内容を示している。
【００７３】
まず、制御部２００は、信号列の受信がユーザなどから指示されたか否かを判定する（Ｓ１）。例えば、地上デジタル放送の受信が行われる場合には、ユーザが携帯通話装置１０００を操作することにより受信が開始される。受信が開始されていない場合には（Ｓ１、Ｎｏ）、制御部２００は間欠受信を行うタイミングか否かを判定する（Ｓ５）。間欠受信を行うタイミングでないと判定した場合には（Ｓ５、Ｎｏ）、制御部２００はＳ１の処理に戻る。
【００７４】
間欠受信を行うタイミングであると判定した場合には（Ｓ５、Ｙｅｓ）、制御部２００は、チューナ９００に信号列を受信させると共に、復調器１００による復調処理及び誤り訂正処理を開始させる（Ｓ６）。このとき、波形等化を含む復調処理が信号列に施され、誤り訂正処理がなされる。誤り訂正部１８５は、誤り訂正処理を信号列に施すと共に、ＢＥＲを測定して制御部２００へと出力する（Ｓ７）。制御部２００は、誤り訂正部１８５からのＢＥＲに基づいて、波形等化の際の初期値を決定し、ステート記憶部１３１などに記憶させる（Ｓ８）。
【００７５】
Ｓ１において、信号列の受信が指示されたと判定した場合には（Ｓ１、Ｙｅｓ）、制御部２００は、波形等化部１１０に波形等化を開始するよう指示を送る（Ｓ２）。そして、信号列の受信が終了するまで待機する（Ｓ３、Ｎｏ）。ユーザが携帯通話装置１０００を操作するなどにより、受信の終了が指示された場合には（Ｓ３、Ｙｅｓ）、制御部２００は、波形等化部１１０に波形等化を終了するよう指示を送る（Ｓ４）。そして、Ｓ１からの処理に戻る。
【００７６】
一方で、波形等化部１１０は、制御部２００から波形等化の開始の指示が送られると、まず検査モードで動作を開始する（Ｓ２１〜Ｓ２８）。検査モードが開始されると、切り替え制御部１３０は、等化処理Ａ及びＢのうち、前回の検査モードで行われた処理とは異なるものを選択する（Ｓ２１）。そして、波形等化部１１０は、Ｓ２１において選択された検査モードで等化処理を信号列に施す（Ｓ２２）。このとき、検査モードの期間の長さは１シンボル以内の長さである。
【００７７】
次に、デマップ部１１２がデマップを行う（Ｓ２３）。そして、デマップ部１１２がデマップを行った結果に基づいて、ＭＥＲ測定部１１３がＭＥＲを算出する（Ｓ２４）。切り替え制御部１３０は、ＭＥＲ測定部１１３からのＭＥＲを比較して（Ｓ２５）、今回の検査モードでの等化性能及び前回の検査モードでの等化性能のいずれが高いかを判定する。そして、その判定結果に基づいてステート記憶部１３１が記憶しているステートを更新する（Ｓ２６）。
【００７８】
次に、切り替え制御部１３０は、ステート記憶部１３１が記憶しているステートに基づいて、等化処理Ａ及びＢのいずれが現在の受信状況に適しているかを判定する（Ｓ２７）。そして、現在の受信状況に適していると判定した等化処理が非検査モードにおいて行われるように、処理選択部１１４に指示を送る（Ｓ２８）。以上のＳ２１〜Ｓ２８が検査モードにおける処理の流れである。
【００７９】
次に、波形等化部１１０は、非検査モードで動作する（Ｓ２９〜Ｓ３２）。波形等化部１１０は、切り替え制御部１３０の指示に従って、等化処理Ａ及びＢのいずれかを信号列に施す（Ｓ２９）。そして、デマップ部１１２がデマップを行う（Ｓ３０）。
【００８０】
一方で、制御部２００は、携帯通話装置１０００による信号列の受信が終了したか否かを判定し、信号列の受信が終了したと判定した場合には波形等化部１１０に等化処理を終了するように指示を送る。波形等化部１１０は、等化処理を終了するような指示が制御部２００から送られたか否かを判定し（Ｓ３１）、かかる指示が送られたと判定した場合には（Ｓ３１、Ｙｅｓ）、等化処理を終了する。上記の指示が送られていないと判定した場合には（Ｓ３１、Ｎｏ）、波形等化部１１０は、非検査モードの期間が終了したか否かを判定する（Ｓ３２）。非検査モードの期間が終了したと判定した場合には（Ｓ３２、Ｙｅs）、波形等化部１１０は、Ｓ２１からの検査モードでの等化処理を信号列に施す。非検査モードの期間が終了していないと判定した場合には（Ｓ３２、Ｎｏ）、Ｓ２９からの非検査モードでの等化処理を信号列に施す。
【００８１】
以上の構成を有していることにより、本実施形態は以下のような効果を奏する。本実施形態と異なり、遅延時間の長さに応じて等化処理を選択するなどの場合には、マルチパス波の遅延時間を測定する手段が必要である。しかし、マルチパス波が１波からなる場合もあれば複数波からなる場合もあり、また、ドップラーシフトによってそのレベルも変化するなど、マルチパス波の受信状況は様々である。したがって、マルチパス波の遅延時間を正確に取得するのは困難であると共に、受信状況の変化に応じた遅延時間の基準を前もって設定しておくのも困難である。
【００８２】
これに対して、本実施形態によると、スキャッタードパイロット信号の周波数方向の補間のみを伴う等化処理、及び、周波数方向及び時間方向の両方の補間を伴う等化処理のどちらが現在の受信状況に適切なものかが、それぞれの等化処理を実際に施した際の受信性能を測定することによって評価される。したがって、マルチパス波の遅延時間のみならず、ドップラーシフトの影響をも考慮した上で等化処理が選択されるため、受信状況に適切な等化処理の選択が正確になされ得る。
【００８３】
また、本実施形態においては、２つの等化処理のうちいずれの等化性能が高いかに応じてステートの状態を更新しつつ、更新後のステートの状態に応じて等化処理が選択される。したがって、等化性能を複数回比較した結果に基づいて等化処理の選択が行われるので、受信状況に応じた等化処理の選択がより正確になされ得る。また、複数回の更新を経た現在のステートに基づいて等化処理が決定されるため、等化性能を複数回評価した結果を評価する手段が簡易な構成で実現する。
【００８４】
また、本実施形態においては、継続的な受信を開始する前に間欠的な受信を行ってＢＥＲが測定されると共に、ステート記憶部１３１が記憶しているステートの初期値がＢＥＲに応じて決定される。したがって、継続的な受信が開始されてから受信状況に適したステートに移行するまでの時間が短縮され、信号列の良好な受信が速やかに開始する。
【００８５】
さらに、本実施形態によると、検査モードの期間の長さは１シンボルに収まる長さである。したがって、検査モードによって復調処理に悪影響が及ぶ場合には、その影響が最小限の範囲に限定され得る。
【００８６】
＜受信状況に応じた等化処理の例＞
以下は、本実施形態の等化処理が信号列に施される場合に、受信状況と等化処理の切り替えとがどのように対応するのかについての説明である。図９は、本実施形態の携帯通話装置１０００によって信号列の受信が行われる場合の受信状況の一例を示す図である。
【００８７】
図９（ａ）の曲線Ｃ１は、携帯通話装置１０００の移動の速さと時間との関係を示している。例えば、携帯通話装置１０００が高速道路を走行する自動車内で信号列を受信する場合には、携帯通話装置１０００は図９（ａ）のような速さで移動することとなる。期間Ｔａは、自動車が高速道路において増速している期間である。期間Ｔｂは、細かい速さの変化を伴いつつ、自動車が安定に走行している期間である。期間Ｔｃは、自動車が減速している期間である。
【００８８】
図９（ｂ）の曲線Ｃ２は、信号列に含まれるマルチパス波の遅延時間の時間変化を示している。遅延時間は、信号列を送信する送信局との距離に依存して変化する。自動車で一定方向に長時間移動するような場合には、信号列を送信する送信局と自動車との距離が単純に増加したり減少したりすることとなる。したがって、遅延時間の時間変化は、例えば信号列を送信する送信局と自動車との距離が単純に増加するのに従って、図９（ｂ）のような単純増加となる。なお、自動車と送信局との位置関係により、遅延時間が単純減少になる場合や、単純増加と単純減少とを繰り返すものとなる場合もある。
【００８９】
ところで、信号列に施される等化処理の性能に影響を与える要素の一例として、携帯通話装置１０００の移動によるドップラーシフトと信号列に含まれるマルチパス波とがある。ドップラーシフトが発生すると時間的に信号が大きく変動する。一方、等化処理において時間方向の補間を行う場合には、時間的に離隔したシンボルに含まれるスキャッタードパイロット信号が用いられる。したがって、ドップラーシフトの影響のみを考慮した場合には、時間方向の補間を行わず、周波数方向に関する補間のみを行う方が、等化処理の性能がよい。
【００９０】
図９（ａ）のように速さが変化する場合には、自動車の移動に伴うドップラーシフトの影響が変化するため、等化処理Ａ及びＢのうち等化性能の高い適切な等化処理がどちらであるかが時間的に変化する。つまり、期間Ｔａにおいて速さが小さいときには、時間方向に関する補間も施す等化処理Ａが適切である。しかし、速さが増大してある程度の大きさを超えた場合には、周波数方向に関する補間のみを伴う等化処理Ｂが適切なものとなる。速さがある程度を超えた状態が継続する期間Ｔｂにおいては、等化処理Ｂが適切である。その後、期間Ｔｃにおいて、速さがある程度を超えた状態において等化処理Ｂが適切であり、速さがある程度を下回ると、等化処理Ａが適切なものとなる。
【００９１】
これに対して、マルチパス波の遅延時間が長くなると、補間方式の違いによる影響が出る。つまり、マルチパス波の遅延時間がある程度大きくなると、時間方向に関する補間が必須なものとなる場合がある。したがって、遅延時間のみを考慮すると、図９（ｂ）において遅延時間が周波数軸方向の補間のみで補正できる限界の長さを超えない期間には、等化処理Ａ及びＢのいずれが行われてもよい。しかし、遅延時間が増大して周波数軸方向の補間のみで補正できる限界の長さを超えると、時間方向に関する補間も行う等化処理Ａが適切なものとなる。このような補正できる限界の長さは、等価器を構成するフィルタの理想通過帯域により決まっている。
【００９２】
以上より、マルチパス波の遅延時間及びドップラーシフトの両方を考慮した場合に、適切な等化処理は、図１０（ａ）に示されているように変化する。なお、図１０（ａ）の曲線Ｃ２において下方の点ほど遅延時間が大きいことを示している。
【００９３】
図１０（ａ）の時刻ｔ１までは、携帯通話装置１０００の移動の速さが小さく、遅延時間も小さい。したがって、等化処理Ａが適切なものとなる。時刻ｔ１〜ｔ２の期間は、移動の速さがある程度を超えることにより、等化処理Ａ及びＢのいずれが適切なものかが短い時間に変化するような過渡期間である。時刻ｔ２を過ぎると、速さがある程度を超えた状態が安定に継続する期間となり、等化処理Ｂが適切なものとなる。しかし、時刻ｔ２から時刻ｔ３に近づくにつれて、遅延時間が大きくなる。そして、遅延時間の大きさが周波数軸方向の補間のみで補正できる限界の長さの近傍になる時刻ｔ３〜ｔ４の期間は、等化処理Ａ及びＢのいずれが適切なものかが短い時間に変化するような過渡期間である。時刻ｔ４を過ぎると、遅延時間が周波数軸方向の補間のみで補正できる限界の長さを完全に超えるため、等化処理Ａが適切なものとなる。
【００９４】
そこで、上記のような受信状況の変化に合わせた適切な等化処理が行われるように、本実施形態が以下のように適用される。表１は、本実施形態を具体的に等化処理の制御に適用した場合の一例を示している。表１の例においては、第１〜第４のステートが適用される。これらのステートは２ビットの数値と対応している。また、各ステートに対応する非検査モードの期間の長さは、Ｔ００、Ｔ０１、Ｔ１０及びＴ１１であり、Ｔ００＝Ｔ１１、Ｔ０１＝Ｔ１０且つＴ００＞Ｔ０１を満たすように調整されている。そして、第１〜第４のステートは等化処理Ａ又はＢに対応している。以下においては、表１に示されるような条件に従って切り替え制御部１３０が構成されているものとする。
【００９５】
【表１】
2008017124.tif 000003
【００９６】
表１に示されるような条件で本実施形態が適用された場合に、図１０（ａ）に示されているような受信状況の変化の下で、以下のような等化処理の制御がなされる。図１０（ｂ）は、波形等化部１１０が信号列に施す等化処理の時間変化を示すタイミングチャートである。
【００９７】
自動車の速さが小さい受信開始時には等化処理Ａがなされるように、ステート記憶部１３１は第１のステートを示す数値００を記憶している。これは、制御部２００の初期値決定部２０１によって決定された初期値である。時刻ｔ１までは、各検査モードにおいて等化処理Ａの等化性能が等化処理Ｂの等化性能より高いと判定される。例えば、検査モードの期間であるｔａ〜ｔｂの期間において等化処理Ａがなされた場合の等化性能が測定される。この期間においては遅延時間が短く速さも小さいので、等化処理Ａの等化性能が前回（不図示）の等化処理Ｂの等化性能より高いと判定される。したがって、時刻ｔ１までの期間には、第１のステートに保持されている。つまり、ステート記憶部１３１は数値００を記憶している。また、各非検査モードは、第１のステートに対応する長さＴ００に亘って行われる。
【００９８】
図１０（ｃ）は、図１０（ｂ）において、ｔ１〜ｔ２の期間の部分が拡大されたものである。ｔ１〜ｔ２の期間は、上記の通り、等化処理Ａが適切である受信状況から等化処理Ｂが適切である受信状況へと移行する過渡期間に相当する。図１０（ｃ）において、ｔ１〜ｔｋ、ｔｌ〜ｔｍ及びｔｎ〜ｔ２の各期間は検査モードの期間に相当する。
【００９９】
ｔ１〜ｔｋの期間において、前回の検査モードにおける等化処理と異なる等化処理Ｂが信号列に施され、その等化性能がＭＥＲ測定部１１３によって測定される。自動車の速さが増大することにより、ｔ１〜ｔｋの期間において測定された等化処理Ｂの等化性能は、前回のｔａ〜ｔｂの期間において測定された等化処理Ａの等化性能よりも高くなっている。したがって、切り替え制御部１３０のステート更新部１３３は、性能比較部１３２の比較結果に基づいて等化処理Ｂが等化処理Ａよりも現在の受信状況に適していると判定する共に、ステート記憶部１３１が記憶しているステートの数値を、第２のステートを示す数値０１に更新する。第２のステートに対応するのは等化処理Ａなので、次の非検査モードに相当するｔｋ〜ｔｌの期間には等化処理Ａが信号列に施されるように、切り替え制御部１３０が処理選択部１１４に指示を送る。ここで、ｔｋ〜ｔｌの期間の長さは、第２のステートに相当する長さＴ０１である。
【０１００】
ｔｌ〜ｔｍの期間において等化処理Ａが信号列に施され、その等化性能が測定される。ｔｌ〜ｔｍの期間には自動車の速さがさらに増大しているため、ｔｌ〜ｔｍの期間で測定された等化処理Ａの等化性能はｔ１〜ｔｋの期間で測定された等化処理Ｂの等化性能より低い。したがって、等化処理Ｂが等化処理Ａよりも現在の受信状況に適していると判定されると共に、ステート記憶部１３１が記憶しているステートの数値が、第３のステートを示す数値１０に更新される。第３のステートに対応するのは等化処理Ｂなので、次の非検査モードに相当するｔｍ〜ｔｎの期間には等化処理Ｂが信号列に施される。ここで、ｔｍ〜ｔｎの期間の長さは、第３のステートに相当する長さＴ１０である。
【０１０１】
ｔｎ〜ｔ２の期間において、等化処理Ｂが信号列に施され、その等化性能が測定される。ｔｎ〜ｔ２の期間において自動車の速さは前回のｔｌ〜ｔｍの期間におけるよりも大きくなっている。したがって、切り替え制御部１３０は、ｔｎ〜ｔ２の期間で測定された等化処理Ｂの等化性能がｔｌ〜ｔｍの期間で測定された等化処理Ａの等化性能より低いと判定されると共に、ステート記憶部１３１が記憶しているステートの数値が、第４のステートを示す数値１１に更新される。第４のステートに対応するのは等化処理Ｂなので、次の非検査モードに相当するｔ２〜ｔｃの期間には等化処理Ｂが信号列に施される。ここで、ｔ２〜ｔｃの期間の長さは、第４のステートに相当する長さＴ１１である。
【０１０２】
ｔ２〜ｔ３の期間には等化処理Ｂの等化性能が等化処理Ａの等化性能より高くなる範囲で、遅延時間が短く且つ自動車の速さが安定する。したがって、ｔ２〜ｔ３の期間中、ｔｃ〜ｔｄ、ｔｅ〜ｔｆなどの検査モードにおいては、等化処理Ｂが等化処理Ａより適していると判定されるため、非検査モードにおいて等化処理Ｂが信号列に施される。
【０１０３】
ｔ３〜ｔ４の期間は遅延時間が周波数軸方向の補間のみで補正できる限界の長さを超える過渡期間に相当する。つまり、ｔ３〜ｔ４の期間は、等化処理Ｂが適切である受信状況から等化処理Ａが適切である受信状況へと移行する過渡期間に相当する。したがって、ｔ１〜ｔ２の期間と同様に短期間に等化処理Ａと等化処理Ｂとが繰り返される。
【０１０４】
ｔ４から信号列の受信が終了するまでの期間は、遅延時間が長く且つ自動車の速さが減少する期間である。したがって、ｔ４から受信終了までの期間中、ｔｇ〜ｔｈ、ｔｉ〜ｔｊなどの検査モードにおいては、等化処理Ａが等化処理Ｂより適していると判定されるため、非検査モードにおいて等化処理Ａが信号列に施される。
【０１０５】
以上のとおり、本実施形態によると、等化処理Ａ及びＢを互いに切り替える境界のステートである第２及び第３のステートにおいて、検査モードの切り替えが頻繁になされることとなる。したがって、一方の等化処理が適した受信状況から他方の等化処理が適した受信状況への過渡期間において、受信状況の変化に即応した等化処理の切り替えがなされ得ると共に、一方の等化処理に適した状態が安定して継続するような期間においては検査モードの切り替えの回数が少ないので、安定した制御がなされ得る。
【０１０６】
なお、本実施形態においては、ステートの数や非検査モードの期間の長さを調整することで、携帯通話装置１０００の使用環境に応じた適切な等化処理の選択が行われるような設定が可能である。例えば、ステートの数が大きく、非検査モードの期間がより詳細に設定される場合には、受信状況の変化により柔軟に適応した等化処理の選択が行われる。
【０１０７】
＜波形等化部の変形例＞
図１１は、上述の実施形態における波形等化部１１０とは部分的に異なる構成を有する波形等化部５１０の構成を示すブロック図である。なお、波形等化部５１０は波形等化部１１０と多くの共通する構成を有しているため、以下においてこのような共通部分に係る説明は適宜省略される。
【０１０８】
波形等化部５１０は、波形等化部１１０とは異なり、図１１の点線に示されているように、複素除算部１１７からの除算結果を複素除算部１１１に直接出力するような構成を有している。制御部２００は、復調器１００からのＢＥＲに基づいて、複素除算部１１７からの除算結果を複素除算部１１１に直接出力するか、周波数方向や時間方向の補間を行うシンボルフィルタ部１１８やキャリアフィルタ部１１５を介して出力するかを選択する。
【０１０９】
具体的には、以下のような制御が行われる。制御部２００は、信号列の継続的な受信を開始するような指示がユーザなどからなされる前に、上述の実施形態と同様に、間欠的な受信をチューナ９００に行わせる。そして、波形等化部５１０による等化処理を含む復調処理と誤り訂正処理とを復調器１００に行わせる。このとき、誤り訂正部１８５から制御部２００へとＢＥＲが出力される。なお、このときの波形等化部５１０による等化処理は、シンボルフィルタ部１１８やキャリアフィルタ部１１５を介して行われてもよいし、これらによる補間を介さずに行われてもよい。
【０１１０】
そして、制御部２００は、復調器１００からのＢＥＲが所定の閾値を下回っている場合には、携帯通話装置１０００の受信状況が特に良好な状態にあるか否かを判定する。特に良好な状態にあると判定した場合には、制御部２００は、信号列の継続的な受信を開始するような指示がユーザなどからなされた後に、シンボルフィルタ部１１８及びキャリアフィルタ部１１５のいずれをも介さずに等化処理を行うよう波形等化部５１０に指示を送る。復調器１００からのＢＥＲが所定の閾値を下回らず、受診状況が特に良好な状態にはないと判定した場合には、制御部２００は、信号列の継続的な受信において上述の実施形態と同様の等化処理が行われるよう波形等化部５１０に指示を送る。
【０１１１】
例えば携帯通話装置１０００が信号列の送信局に近接した位置で移動せずに信号列を受信する場合のように特に受信状況が良好でガウス雑音のみとみなせるような場合には、周波数方向や時間方向に関する補間を信号列に施すと却って受信の性能が低下することがある。以上のような波形等化部５１０の構成により、これらの補間を信号列に施すと却って受信の性能が低下するような特に受信状況が良好である場合にはこれらの補間のいずれも行われないように等化処理を制御することが可能となる。
【０１１２】
＜その他の変形例＞
以上は、本発明の好適な実施形態についての説明であるが、本発明は上述の実施形態に限られるものではなく、課題を解決するための手段に記載された内容の限りにおいて様々な変更が可能なものである。
【０１１３】
例えば、上述の実施形態において想定されている信号列は、ＩＳＤＢ−Ｔに適用され得るものである。しかし、本発明は、ＩＳＤＢ−Ｔ方式の他、ＤＶＢ−Ｔ（Digital Video Broadcasting-Terrestrial）、ＤＶＢ−Ｈ（-Handheld）方式、無線ＬＡＮに用いられるIEEE802.11a/b/g/n方式にも適用され得る。つまり、本発明は、周波数方向及び時間方向の両方向についてスキャッタードパイロット信号を配列するものであれば、どのような伝送方式に採用されてもよい。
【０１１４】
また、上述の実施形態においてＭＥＲ測定部１１３が測定するＭＥＲは、実質的にＣＮ（Carrier to Noise）比と同等のものである。しかし、ＣＮ比としてＭＥＲ以外の測定値が利用されてもよい。
【０１１５】
また、上述の実施形態は、ステートを段階的に更新して、ステートがある段階を超えた際に等化処理を切り替えている。すなわち、１回の測定結果のみによって等化処理を切り替えず、複数回の測定結果に基づいて等化処理を切り替えるべきか否かを判定している。
【０１１６】
また、上述の実施形態においては、検査モードが１シンボル内の期間に収まるように調整されている。しかし、検査モードが２シンボル以上の期間に亘って継続してもよい。これによると、２シンボル以上の期間に亘って測定された等化性能の結果の平均値を算出し、かかる平均値に基づいて適切な等化処理を評価することが可能となる。したがって、１シンボルの検査モードにおいて測定された等化性能を用いて評価する場合と比べて、より正確な評価が行われる。
【０１１７】
また、上述の実施形態においては、１回の検査モードにおいて２つの等化処理のどちらか一方のみが信号列に施されている。しかし、１回の検査モードにおいて同時に２つの等化処理を信号列に別途に施すような構成を波形等化部１１０が有していてもよい。この場合には、１回の検査モードで２つの等化処理の等化性能を互いに比較することが可能である。
【０１１８】
また、上述の実施形態は、主にＭＥＲを測定することで等化処理の等化性能を評価している。しかし、ＢＥＲを用いて等化処理の等化性能が評価されてもよい。例えば、ＢＥＲの測定期間中に一方の等化処理が行われた期間の長さがどれくらいかを測定するような手段と、かかる手段が測定した期間の長さ及びＢＥＲに基づいて、２つの等化処理のうちいずれが現在の受信状況に適しているかを判断する手段とを、携帯通話装置１０００が有していてもよい。
【図面の簡単な説明】
【０１１９】
【図１】本発明の一実施形態である携帯通話装置の外観を示す概略図及びその概略構成を示すブロック図である。
【図２】図１の携帯通話装置が受信する信号列を示す図である。
【図３】図１の復調器の構成を示すブロック図である。
【図４】図３の波形等化部の構成を示すブロック図である。
【図５】図４の波形等化部において信号列に等化処理Ａ及びＢが施される際のタイミングを示すタイミングチャートである。
【図６】図６（ａ）は、図４の切り替え制御部の構成を示すブロック図である。          図６（ｂ）は、図１の制御部の構成を示すブロック図である。
【図７】図６の制御部が復調器を制御する一連のステップを示すフローチャートである。
【図８】図６の波形等化部が信号列に等化処理を施す一連のステップを示すフローチャートである。
【図９】図１の携帯通話装置が信号列を受信する際における受信状況の変化の一例を示すグラフである。
【図１０】図９のように受信状況が変化する場合において各タイミングで２つの等化処理のいずれが適切な等化処理であるかを示すグラフである。
【図１１】本発明の別の実施形態に係る波形等化部の構成を示すブロック図である。
【符号の説明】
【０１２０】
Ｓｉ、Ｓｒ  信号
１  デジタル復調装置
１００  復調器
１１０、５１０  波形等化部
１３０  切り替え制御部
１３１  ステート記憶部
１３２  性能比較部
１３３  ステート更新部
１３４  判定部
１３５  モード条件記憶部
１９２ａ、１９２ｂ  スキャッタードパイロット信号
１９３  シンボル
２００  制御部
２０１  初期値決定部
２０２  等化制御部
９００  チューナ
１０００  携帯通話装置
【図１】
2008017124.tif 000004
【図２】
2008017124.tif 000005
【図３】
2008017124.tif 000006
【図４】
2008017124.tif 000007
【図５】
2008017124.tif 000008
【図６】
2008017124.tif 000009
【図７】
2008017124.tif 000010
【図８】
2008017124.tif 000011
【図９】
2008017124.tif 000012
【図１０】
2008017124.tif 000013
【図１１】
2008017124.tif 000014